(57)【要約】      （修正有）【課題】スマートフォン利用者のセキュリティ性を確保しつつ施解錠対象物の施解錠制御、現在状態の把握を簡略に実現できるスマートフォンを利用した施解錠対象物の施解錠応答システムを提供する。【解決手段】スマートフォン１１に搭載した施解錠アプリに入力された前記スマートフォンの個別認識情報と、パスワード情報とにより起動して、施解錠操作により施解錠対象物である宝石箱３の施解錠を行う施解錠信号を出力するとともに、前記施解錠アプリは宝石箱の施解錠状態の確認信号の表示機能を備える前記スマートフォンと、スマートフォン使用者の個人認証を行う認証手段４と、前記宝石箱の開口部に配置され、開口部の施錠又は解錠を行う電子錠と、施解錠制御ユニット６と、前記スマートフォン、認証手段、施解錠制御ユニット間の信号送受信を行う通信網１０とを含む。【選択図】図１
0003235404.tif 000002
【実用新案登録請求の範囲】
【請求項１】
スマートフォンを利用した施解錠対象物の施解錠応答システムであって、
スマートフォンに搭載した施解錠アプリに入力された前記スマートフォンの個別認識情報と、パスワード情報とにより起動して、施解錠操作により施解錠対象物の施解錠を行う施解錠信号を出力するとともに、前記施解錠アプリは施解錠対象物の施解錠状態の確認信号の表示機能を備える前記スマートフォンと、
前記スマートフォンからの前記個別認識情報とパスワード情報とによりスマートフォン使用者の個人認証を行う認証手段と、
前記施解錠対象物の開口部に配置され、開口部の施錠又は解錠を行う電子錠と、
前記施解錠対象物内に配置され、前記スマートフォンから出力され個人認証された施解錠信号に応じて前記電子錠の施解錠駆動を行うとともに、前記電子錠の施解錠状態の確認信号を出力する施解錠制御ユニットと、
前記スマートフォン、認証手段、施解錠制御ユニット間の信号送受信を行う通信網と、
を含むことを特徴とするスマートフォンを利用した施解錠対象物の施解錠応答システム。
【請求項２】
スマートフォンを利用した施解錠対象物の施解錠応答システムであって、
スマートフォンに搭載した施解錠アプリに入力された前記スマートフォンの個別認識情報と、パスワード情報とにより起動して、施解錠操作により施解錠対象物である物品収納具の施解錠を行う施解錠信号を出力するとともに、前記施解錠アプリは前記物品収納具の施解錠状態の確認信号の表示機能及び物品収納具の位置測位情報表示機能を備える前記スマートフォンと、
前記スマートフォンからの前記個別認識情報とパスワード情報とによりスマートフォン使用者の個人認証を行う認証手段と、
前記物品収納具の開口部に配置され、前記開口部の施錠又は解錠を行う電子錠と、
前記物品収納具内に配置され、前記スマートフォンから出力され個人認証された施解錠信号に応じて前記電子錠の施解錠駆動を行うとともに、前記電子錠の施解錠状態の確認信号を出力する施解錠制御ユニットと、
前記施解錠制御ユニットに組み込んだＧＰＳによる位置測位の機能を有する位置測位信号処理部と、
前記スマートフォン、認証手段、施解錠制御ユニット間の信号送受信を行う通信網と、
を含むことを特徴とするスマートフォンを利用した施解錠対象物の施解錠応答システム。
【請求項３】
スマートフォンを利用した施解錠対象物の施解錠応答システムであって、
前記スマートフォンに搭載した施解錠アプリに入力された前記スマートフォンの個別認識情報と、パスワード情報とにより起動して、施解錠操作により施解錠対象物である宅配ボックスの施解錠を行う施解錠信号を出力するとともに、前記施解錠アプリは前記宅配ボックスの施解錠状態の確認信号の表示機能及び前記宅配ボックスの位置測位情報表示機能を備える前記スマートフォンと、
前記スマートフォンからの前記個別認識情報とパスワード情報とによりスマートフォン使用者の個人認証を行う認証手段と、
前記宅配ボックスの開口部に配置され、前記開口部の施錠又は解錠を行う電子錠と、
前記宅配ボックス内に配置され、前記スマートフォンから出力され個人認証された施解錠信号に応じて前記電子錠の施解錠駆動を行うとともに、前記電子錠の施解錠状態の確認信号を出力する施解錠制御ユニットと、
前記施解錠制御ユニットに組み込んだＧＰＳによる位置測位の機能を有する位置測位信号処理部と、
前記スマートフォン、認証手段、施解錠制御ユニット間の信号送受信を行う通信網と、
を含むことを特徴とするスマートフォンを利用した施解錠対象物の施解錠応答システム。
【請求項４】
前記施解錠制御ユニットは、前記施解錠信号に応じて前記電子錠に設けた施錠片用のロックピンを電磁駆動により変位させて、前記電子錠を施錠状態又は施錠解除状態とするとともに、前記電子錠の施錠状態又は施錠解除状態に応じて施解錠状態の確認信号を出力することを特徴とする請求項１乃至３のいずれか１項に記載のスマートフォンを利用した施解錠対象物の施解錠応答システム。
【請求項５】
前記施解錠対象物は、宝石箱やケース等の容器類、バッグ、スーツケース、書庫、ロッカー、金庫、倉庫、物置から選定されることを特徴とする請求項１乃至３のいずれか１項に記載のスマートフォンを利用した施解錠対象物の施解錠応答システム。
【請求項６】
前記スマートフォンは、前記施解錠アプリに基づき施解錠対象物の位置測位情報に変動が生じたとき警報を発する機能も有することを特徴とする請求項１乃至５のいずれか１項に記載のスマートフォンを利用した施解錠対象物の施解錠応答システム。
【考案の詳細な説明】
【技術分野】
【０００１】
本考案は、スマートフォンを利用した施解錠対象物の施解錠応答システムに関し、詳しくは、セキュリティ性を確保しつつ施解錠対象物の施解錠制御、現在状態の把握を簡略に実現できるとともに、施解錠対象物である宝石箱等の位置情報も取得可能なスマートフォンを利用した施解錠対象物の施解錠応答システムに関するものである。
【背景技術】
【０００２】
従来、スマートフォンを利用し、施解錠対象物である各種の物品収納具や宅配ボックス等の施解錠管理を行うに際しては、セキュリティ性の確保、スマートフォン操作の簡略性向上が要請される。
【０００３】
この種の施解錠応答システムに関しては、従来から種々の提案がなされている。
【０００４】
例えば、特許文献１には、スマートフォンの個別認識情報とスマートフォンアプリに入力されたパスワード情報により起動し、両情報の入力により扉の施錠及び開錠を行う機能を備えると共に、施開錠に使用した前記スマートフォンの個別識別情報と前記スマートフォンアプリの情報からスマートフォンを特定し、施開錠の操作がされた日時を記録することが可能な機能部を有する構成の防災金庫が提案されている。
【０００５】
また、特許文献２には、屋外の任意の位置に設置可能であって、被検知対象を監視可能な監視装置において、上下方向に延びる本体の上部に設けられ、前記被検知対象を撮影可能な監視カメラと、前記監視カメラの向きを変更させるカメラ駆動部と、前記本体における前記監視カメラの近傍に設けられ、所定検知範囲内の前記被検知対象の有無を検知する検知センサと、前記本体に少なくとも１つ設けられ、自らの現在位置座標値を取得するＧＰＳセンサと、前記本体の下部に設けられたバッテリーと、前記本体の頂部に設けられ、発電された電力を前記バッテリーに蓄電する太陽電池パネルと、前記太陽電池パネルの上部に設けられ、周囲の光量に基づいて前記太陽電池パネルの最適な向きを検出する照度センサと、前記照度センサによって検出された情報に基づいて、前記太陽電池パネルの向きを変更させるパネル駆動部と、前記本体に設けられる警報装置と、前記被検知対象の有無を検知した前記検知センサからの検知信号、前記ＧＰＳセンサからの現在位置座標値信号、及び前記照度センサによって検出された情報を受信して処理を行い、前記監視カメラ、前記カメラ駆動部、及び前記パネル駆動部に、前記監視カメラ前記カメラ駆動部、及び前記パネル駆動部を制御するための第１の制御信号を送信する制御ユニットと、を備える監視装置が開示されている。
【０００６】
しかし、特許文献１の防災金庫の場合、施開錠の操作がされた日時を記録することを主体としており、施開錠対象物の現在の施錠、解錠の状態を把握する機能は有しないものである。
【０００７】
また、特許文献２の監視装置の場合、監視カメラ、前記監視カメラ駆動部、及び太陽電池パネルの駆動部に、前記監視カメラのカメラ駆動部、及び前記太陽電池パネルの駆動部を制御するための制御部を有する煩雑な構成であり、また、特許文献１の場合と同様、監視対象物の現在の施錠、解錠の状態を把握する機能は有しないものである。
【先行技術文献】
【特許文献】
【０００８】
【特許文献１】特開２０１７−１５５５０８号公報
【特許文献２】特許第６４１９９９７号公報
【考案の概要】
【考案が解決しようとする課題】
【０００９】
本考案は、上記従来の実情に鑑みて、スマートフォン利用者のセキュリティ性を確保しつつ施解錠対象物の施解錠制御、現在状態の把握を簡略に実現できるとともに、施解錠対象物である宝石箱等の位置情報も取得可能なスマートフォンを利用した施解錠対象物の施解錠応答システムを提供するものである。
【課題を解決するための手段】
【００１０】
本考案は、スマートフォンを利用した施解錠対象物の施解錠応答システムであって、スマートフォンに搭載した施解錠アプリに入力された前記スマートフォンの個別認識情報と、パスワード情報とにより起動して、施解錠操作により施解錠対象物の施解錠を行う施解錠信号を出力するとともに、前記施解錠アプリは施解錠対象物の施解錠状態の確認信号の表示機能を備える前記スマートフォンと、前記スマートフォンからの前記個別認識情報とパスワード情報とによりスマートフォン使用者の個人認証を行う認証手段と、前記施解錠対象物の開口部に配置され、開口部の施錠又は解錠を行う電子錠と、前記施解錠対象物内に配置され、前記スマートフォンから出力され個人認証された施解錠信号に応じて前記電子錠の施解錠駆動を行うとともに、前記電子錠の施解錠状態の確認信号を出力する施解錠制御ユニットと、前記スマートフォン、認証手段、施解錠制御ユニット間の信号送受信を行う通信網と、を含むことを最も主要な特徴とする。
【考案の効果】
【００１１】
請求項１記載の考案によれば、スマートフォンを利用した簡略操作により、各種施解錠対象物の施解錠操作や施解錠対象物の施解錠状態の確認を随時実行できるスマートフォンを利用した施解錠対象物の施解錠応答システムを実現し提供することができる。
【００１２】
請求項２記載の考案によれば、スマートフォンを利用した簡略操作により、各種施解錠対象物である宝石箱の施解錠操作や宝石箱の現在の状態（施解錠状態、所在地）を視覚により簡略容易に確認することができるスマートフォンを利用した施解錠対象物の施解錠応答システムを実現し提供することができる。
【００１３】
請求項３記載の考案によれば、スマートフォンを利用した簡略操作により、各種施解錠対象物である宅配ボックスの施解錠操作や宅配ボックスの現在の状態（施解錠状態、所在地）を視覚により簡略容易に確認することができるスマートフォンを利用した施解錠対象物の施解錠応答システムを実現し提供することができる。
【００１４】
請求項４記載の考案によれば、前記請求項１乃至３のいずれか１項に記載の考案において、前記施解錠制御ユニットを施解錠信号に応じて電子錠に設けた施錠片用のロックピンを電磁駆動により変位させ、前記電子錠を施錠状態又は施錠解除状態とするとともに、前記電子錠の施錠状態又は施錠解除状態に応じて施解錠状態の確認信号を出力する構成として、請求項１乃至３のいずれかに記載の考案の効果を奏するスマートフォンを利用した施解錠対象物の施解錠応答システムを実現し提供することができる。
【００１５】
請求項５記載の考案によれば、前記請求項１乃至３のいずれか１項に記載の考案において、前記施解錠対象物を、宝石箱の他ケース等の容器類、バッグ、スーツケース、書庫、ロッカー、金庫、倉庫、物置から選定する構成としてこれら各前記施解錠対象物に関して請求項１又は２記載の考案と同様な効果を発揮させることができるスマートフォンを利用した施解錠対象物の施解錠応答システムを実現し提供することができる。
【００１６】
請求項６記載の考案によれば、前記請求項１乃至５のいずれか１項に記載の考案において、前記スマートフォンは、前記施解錠アプリに基づき施解錠対象物の位置測位情報に変動が生じたとき警報を発する機能も有することから、前記スマートフォンの所有者は自己の施解錠対象物に関する盗難状態の発生を直ちに把握できるスマートフォンを利用した施解錠対象物の施解錠応答システムを実現し提供することができる。
【図面の簡単な説明】
【００１７】
【図１】図１は本考案の実施例１に係るスマートフォンを利用した施解錠対象物である宝石箱に関する施解錠応答システムを示す全体構成図である。
【図２】図２は本実施例１に係る施解錠対象物である宝石箱の外観を示す概略斜視図である。
【図３】図３は本実施例１に係るスマートフォンの概略平面図である。
【図４】図４は本実施例１に係る施解錠制御ユニット及びマグネットスイッチの構成を示す概略接続構成図である。
【図５】図５は本実施例１に係る宝石箱に設けた電子錠の施錠、解錠状態を概念的に示す概略説明図である。
【図６】図６は本実施例１に係るスマートフォンに搭載した施解錠アプリに入力される個別認識情報、パスワード情報の入力画面を示す概略説明図である。
【図７】図７は本実施例１に係るスマートフォンに搭載した施解錠アプリに基づく施解錠操作、電子錠の施解錠状態、位置測位情報の表示の各画面表示態様を示す概略説明図である。
【図８】図８は本実施例１に係るスマートフォンを利用した施解錠対象物である宝石箱に関する施解錠応答システムの処理の流れを示すフローチャートである。
【図９】図９は本考案の実施例２に係るスマートフォンを利用した施解錠対象物である宅配ボックスに関する施解錠応答システムを示す全体構成図である。
【図１０】図１０は本実施例２に係るスマートフォンを利用した施解錠対象物である宅配ボックスに関する施解錠応答システムの処理の流れを示すフローチャートである。
【考案を実施するための形態】
【００１８】
本考案は、スマートフォン利用者のセキュリティ性を確保しつつ施解錠対象物の施解錠制御、現在状態の把握を簡略に実現できるとともに、施解錠対象物である宝石箱等の位置情報も取得可能なスマートフォンを利用した施解錠対象物の施解錠応答システムを実現し提供するという目的を、スマートフォンを利用した施解錠対象物の施解錠応答システムであって、スマートフォンに搭載した施解錠アプリに入力された前記スマートフォンの個別認識情報と、パスワード情報とにより起動して、施解錠操作により施解錠対象物である物品収納具の施解錠を行う施解錠信号を出力するとともに、前記施解錠アプリは前記物品収納具の施解錠状態の確認信号の表示機能及び物品収納具の位置測位情報表示機能を備える前記スマートフォンと、前記スマートフォンからの前記個別認識情報とパスワード情報とによりスマートフォン使用者の個人認証を行う認証手段と、前記物品収納具の開口部に配置され、前記開口部の施錠又は解錠を行う電子錠と、前記物品収納具内に配置され、前記スマートフォンから出力され個人認証された施解錠信号に応じて前記電子錠の施解錠駆動を行うとともに、前記電子錠の施解錠状態の確認信号を出力する施解錠制御ユニットと、前記施解錠制御ユニットに組み込んだＧＰＳによる位置測位の機能を有する位置測位信号処理部と、前記スマートフォン、認証手段、施解錠制御ユニット間の信号送受信を行う通信網と、を含む構成により実現した。
【実施例】
【００１９】
以下、図面を参照して、本考案の実施例に係るスマートフォンを利用した施解錠対象物の施解錠応答システムについて詳細に説明する。
【００２０】
（実施例１）
図１乃至図８は本考案の実施例１に係るスマートフォン１１を利用した施解錠対象物の施解錠応答システム１を示すものであり、施解錠対象物２として例えば物品収納具の一種である宝石箱３を採用した例を示すものである。
【００２１】
本実施例１に係るスマートフォン１１を利用した施解錠対象物の施解錠応答システム１は、予めに搭載した施解錠アプリに入力される前記スマートフォン１１の個別認識情報、パスワード情報により起動して、施解錠操作により施解錠対象物である宝石箱３の施解錠を行う施解錠信号を出力するとともに、前記施解錠アプリは前記宝石箱３の施解錠状態の確認信号の表示機能及び宝石箱３の位置測位情報表示機能を備える前記スマートフォン１１と、前記スマートフォン１１からの前記個別認識情報とパスワード情報とによりスマートフォン使用者の個人認証を行うシステム管理主体側の認証手段（例えば認証サーバ）４と、  前記宝石箱３の開口部に配置され、前記開口部の施錠又は解錠を行う電子錠５と、を具備している。
【００２２】
更に、本実施例１に係るスマートフォン１１を利用した施解錠対象物の施解錠応答システム１は、前記宝石箱３に搭載されるとともに、前記スマートフォン１１から出力され個人認証された施解錠信号に応じて前記電子錠５の施解錠駆動を行うとともに、前記電子錠５の施解錠状態の確認信号を出力する施解錠制御ユニット６と、前記施解錠制御ユニット６に組み込んだＧＰＳ衛星７からのＧＰＳ信号に基づきＧＰＳによる宝石箱３の位置測位の機能を有する位置測位信号処理部１５と、を具備している。
【００２３】
更に、本実施例１に係るスマートフォン１１を利用した施解錠対象物の施解錠応答システム１は、前記スマートフォン１１、認証手段４、施解錠制御ユニット６間の信号送受信を行う通信網１０と、を含んで構成している。
【００２４】
前記通信網１０は公知のインターネット８、例えば宝石箱３、インターネット８間の交信を行うＷｉ−ｆｉ（登録商標）等の無線通信９により構成している。
【００２５】
図２は本実施例１に係る施解錠対象物である宝石箱３の外観を示すものであり、この宝石箱３に対しては、開口部の施錠又は解錠を行う電子錠５を配置している。
【００２６】
また、前記宝石箱３の内部には詳細は後述する前記施解錠制御ユニット６を配置している。
【００２７】
図３は本実施例１に係るスマートフォン１１の概略平面を示すものであり、このスマートフォン１１には、予め後述するような機能を発揮する施解錠アプリを搭載している。
【００２８】
次に、図４を参照して前記電子錠５、施解錠制御ユニット６について詳述する。
【００２９】
前記施解錠制御ユニット６は、前記位置測位信号処理部１５と、各要素に所要の電力供給を行うバッテリー１２と、前記施解錠制御ユニット６全体の制御を行う制御部１３と、制御部１３により制御されるリレー１４と、このリレー１４のリレー動作に連動して前記電子錠５の施解錠駆動を行うアクチュエター１６と、前記リレー１４のリレー動作に連動して前記電子錠５の施解錠状態を示す確認信号を生成するマグネットスイッチ部１７と、を具備している。
【００３０】
前記施解錠制御ユニット６は、前記スマートフォン１１からインターネット８、Ｗｉ−Ｆｉ等の無線通信９を経て送信される施解錠信号を前記制御部１３の施解錠電極Ｓ１に入力し、前記位置測位信号処理部１５により処理した位置測位信号をＷｉ−Ｆｉ等の無線通信９、インターネット８を経て前記スマートフォン１１に向けて送信し、更に、前記制御部１３の確認信号電極Ｓ２に入力される確認信号をＷｉ−Ｆｉ等の無線通信９、インターネット８を経て前記スマートフォン１１に向けて送信する入出力インターフェース１８と、を具備している。
【００３１】
前記マグネットスイッチ部１７は、前記リレー１４のリレー動作に連動してリレーオン動作にリレー１４から電力供給を受ける陽電極２１と前記バッテリー１２の陰電極に接続した陰電極２２とを並列配置するとともに、前記制御部１３の確認信号電極Ｓ２に一端を接続した確認信号伝送線２３の他端側に接続したマグネットスイッチ部１７側の確認信号電極Ｓ２と、図示しないが例えば前記前記リレー１４のリレー動作に連動して励磁又は励磁解除されるように構成した電磁石により前記陽電極２１、陰電極２２に対して変位駆動され、前記陽電極２１、陰電極２２に接触したときにはこれら陽電極２１、陰電極２２を導通させ、このとき確認信号伝送線２３の電位を状態「１」とし（施錠状態）（リレー接点オン）、前記陽電極２１、陰電極２２から離れる側に変位駆動されたときには確認信号伝送線２３の電位を状態「０」（解錠状態）（リレー接点オフ）に転じるマグネットスイッチ本体１９と、を具備している。
【００３２】
この結果、リレー接点オン時には、前記制御部１３の確認信号電極Ｓ２から（施錠状態）を意味する確認信号が入出力インターフェース１８に伝送され、リレー接点オフ時には前記制御部１３の確認信号電極Ｓ２から解錠状態を意味する確認信号が入出力インターフェース１８に伝送されるように構成している。
【００３３】
図５は本実施例１に係る宝石箱３に設けた電子錠５の施錠、解錠状態を概念的に示すものである。
【００３４】
すなわち、前記リレー１４のリレー動作に連動して前記電子錠５の施解錠駆動を行うアクチュエター１６により、ロックピン２０を変位させ電子錠５に設けた施錠片５ａを施錠状態又は解錠とするものである。
【００３５】
図６は本実施例１に係るスマートフォン１１に搭載した施解錠アプリに入力される個別認識情報、パスワード情報の入力画面を示すものであり、個別認識情報として例えば「ＡＡＡＡ」のような情報が入力され、また、パスワード情報として例えば「１２３４」のような情報が入力される。
【００３６】
図７は本実施例１に係るスマートフォン１１に搭載した施解錠アプリに基づく施解錠操作、電子錠５の施解錠状態、位置測位情報の表示態様を示すものであり、例えば施解錠操作としては施錠ボタン又は解錠ボタンの操作、施解錠状態としては例えば「施錠」の表示、位置測位情報としては「東京都  区  町  丁目  番」のような表示の例を挙げることができる。
【００３７】
次に、本実施例１に係るスマートフォン１１を利用した施解錠対象物である宝石箱３の施解錠応答システム１の動作を図８に示すフローチャートをも参照して説明する。
【００３８】
前記スマートフォン１１の所持者は、まず図６に示すような当該スマートフォン１１における個別認識情報、パスワード情報の入力画面を表示し、個別認識情報として例えば「ＡＡＡＡ」のような情報を、パスワード情報として例えば「１２３４」のような情報を入力する。
【００３９】
これらの情報は前記スマートフォン１１からインターネット８を経てシステム管理主体側の認証手段４に送信され認証終了後前記施解錠アプリによる宝石箱３の施解錠応答システム１の動作が本格的に開始し前記スマートフォン１１の画面は図７に示すような施解錠アプリに基づく施解錠操作、宝石箱３の電子錠５の施解錠状態、位置測位情報の表示内容となる．
【００４０】
本実施例１に係るスマートフォン１１を利用した施解錠対象物である宝石箱３の施解錠応答システム１において、前記所持者が宝石箱３の施錠を実行する場合の処理は以下のようである。
【００４１】
図７に示すような画面表示から、施錠ボタンを操作（タップ）する。
【００４２】
そして、前記スマートフォン１１からインターネット８、Ｗｉ−Ｆｉ等の無線通信９を経て前記宝石箱３内の施解錠制御ユニット６の入出力インターフェース１８に施錠を意味する施解錠信号が送信され、この施錠を意味する施解錠信号は前記制御部１３の施解錠電極Ｓ１に入力され、更に、リレー１４の施解錠電極Ｓ１、リレー１４に伝送されて、リレー１４がリレー動作してリレー接点部１４ａはオンとなる。
【００４３】
これにより前記アクチュエター１６が動作して電子錠５は施錠状態になるとともに、リレー接点オン時には前記制御部１３の確認信号電極Ｓ２から（施錠状態）を意味する確認信号が入出力インターフェース１８、Ｗｉ−Ｆｉ等の無線通信９、インターネット８を経て前記スマートフォン１１に伝送される。
【００４４】
また、前記位置測位信号処理部１５からの位置測位信号も、入出力インターフェース１８、Ｗｉ−Ｆｉ等の無線通信９、インターネット８を経て前記スマートフォン１１に伝送される。
【００４５】
この結果、前記スマートフォン１１における電子錠５の施解錠状態、位置測位情報の表示態様は図７に示すようになる。
【００４６】
また、前記所持者が宝石箱３の解錠を実行する場合の処理は以下のようである。
【００４７】
図７に示すような画面表示から、解錠ボタンを操作（タップ）する。
【００４８】
そして、前記スマートフォン１１からインターネット８、Ｗｉ−Ｆｉ等の無線通信９を経て前記宝石箱３内の施解錠制御ユニット６の入出力インターフェース１８に解錠を意味する施解錠信号が送信され、この解錠を意味する施解錠信号は前記制御部１３の施解錠電極Ｓ１に入力され、更に、リレー１４の施解錠電極Ｓ１、リレー１４に伝送されるが、リレー１４がリレー動作してリレー接点部１４ａはオフとなる。
【００４９】
これにより前記アクチュエター１６は初期位置に戻り、電子錠５も解錠状態に戻る。
【００５０】
また、リレー接点オフ時には前記制御部１３の確認信号電極Ｓ２から（解錠状態）を意味する確認信号が入出力インターフェース１８、Ｗｉ−Ｆｉ等の無線通信９、インターネット８を経て前記スマートフォン１１に伝送される。
【００５１】
更に、前記位置測位信号処理部１５からの位置測位信号も、入出力インターフェース１８、Ｗｉ−Ｆｉ等の無線通信９、インターネット８を経て前記スマートフォン１１に伝送される。
【００５２】
この結果、前記スマートフォン１１の画面における電子錠５の施解錠状態は「解錠」となり、位置測位情報の表示態様は宝石箱３の位置の変更が生じていない場合には図７に示すようになる。
【００５３】
次に、盗難等により前記宝石箱３の位置変更が生じた場合には、前記位置測位信号処理部１５からの位置測位信号も変更となる。
【００５４】
すなわち、変更後の位置測位信号も既述した場合と同様に、入出力インターフェース１８、Ｗｉ−Ｆｉ等の無線通信９、インターネット８を経て前記スマートフォン１１に伝送され。例えば画面表示される変更後の位置測位情報は、「神奈川県  市  町  丁目  番」のような表示に変更となる。
【００５５】
また、前記位置測位情報の変更が生じた場合、施解錠アプリによりブザー音など警報を発するようにすることも可能である。
【００５６】
これにより、前記所持者は、前記スマートフォン１１の画面のみで自己の宝石箱３の盗難状態を直ちに把握し現在の所在地を視覚により直ちに確認することができ、次なる対策を講じることが可能となる。
【００５７】
以上説明した本実施例１に係るスマートフォン１１を利用した施解錠対象物である宝石箱３の施解錠応答システム１によれば、前記スマートフォン１１の所持者は、前記スマートフォン１１の画面操作のみで自己の宝石箱３の施錠解錠を随時実行できるとともに、自己の宝石箱３の現在の状態（施解錠状態、所在地）を視覚により簡略容易に確認することができる。
【００５８】
なお、本実施例１における施解錠対象物２としては、上述した場合の他、例えば、各種ケース等の容器類、バッグ、スーツケース、書庫、ロッカー、金庫、倉庫、物置等々から選定することができる，
【００５９】
（実施例２）
次に、図９、図１０を参照して本考案の実施例２に係るスマートフォン１１を利用した施解錠対象物の施解錠応答システム１Ａについて説明する。
【００６０】
図９は本考案の実施例２に係るスマートフォン１１を利用した施解錠対象物の施解錠応答システム１Ａを示すものであり、施解錠対象物２として例えば物品収納具の一種である宅配ボックス３１を採用し、この宅配ボックス３１を例えば玄関横の壁面等に設置した例を示すものである。
【００６１】
本実施例２に係るスマートフォン１１を利用した施解錠対象物の施解錠応答システム１Ａは、基本的には実施例１の場合と同様な構成であり同一の機能を有する要素には同一の符号を付して示す。
【００６２】
すなわち、本実施例２に係るスマートフォン１１を利用した施解錠対象物の施解錠応答システム１Ａは、予めに搭載した施解錠アプリに入力される前記スマートフォン１１の個別認識情報、パスワード情報により起動して、施解錠操作により施解錠対象物である宅配ボックス３１の施解錠を行う施解錠信号を出力するとともに、前記施解錠アプリは前記宅配ボックス３１の施解錠状態の確認信号の表示機能及び宅配ボックス３１の位置測位情報表示機能を備える前記スマートフォン１１と、前記スマートフォン１１からの前記個別認識情報とパスワード情報とによりスマートフォン使用者の個人認証を行うシステム管理主体側の認証手段（例えば認証サーバ）４と、前記宅配ボックス３１の開口部に配置され、前記開口部の施錠又は解錠を行う電子錠５と、前記宅配ボックス３１に搭載されるとともに、前記スマートフォン１１から出力され個人認証された施解錠信号に応じて前記電子錠５の施解錠駆動を行うとともに、前記電子錠５の施解錠状態の確認信号を出力する施解錠制御ユニット６と、前記施解錠制御ユニット６に組み込んだＧＰＳ衛星７からのＧＰＳ信号に基づきＧＰＳによる宅配ボックス３１の位置測位の機能を有する実施例１の場合と同様な位置測位信号処理部１５と、前記スマートフォン１１、認証手段４、施解錠制御ユニット６間の信号送受信を行う通信網１０と、を含んで構成している。
【００６３】
前記通信網１０は公知のインターネット８と、宅配ボックス３１、インターネット８間の交信を行うＷｉ−Ｆｉ等の無線通信９とにより構成している。
【００６４】
また、前記施解錠制御ユニット６、位置測位信号処理部１５の具体的構成は既述した実施例１の場合と同様である。
【００６５】
更に、前記スマートフォン１１における施解錠アプリに入力される個別認識情報、パスワード情報の入力画面や、施解錠アプリに基づく施解錠操作、電子錠５の施解錠状態、位置測位情報の表示態様も実施例１の場合と同様である。
【００６６】
次に、本実施例２に係るスマートフォン１１を利用した施解錠対象物である宅配ボックス３１の施解錠応答システム１Ａの動作を図１０に示すフローチャートをも参照して説明する。
【００６７】
本実施例２に係るスマートフォン１１を利用した施解錠対象物である宅配ボックス３１の施解錠応答システム１Ａにおいて、前記所持者が例えば宅配業者からの荷物収納済の電話連絡を受けて宅配ボックス３１の施錠を実行する場合の処理は以下のようである。
【００６８】
図７に示す場合と同様な画面表示から、施錠ボタンを操作（タップ）する。
【００６９】
そして、前記スマートフォン１１からインターネット８、Ｗｉ−Ｆｉ等の無線通信９を経て前記宝石箱３内の施解錠制御ユニット６の入出力インターフェース１８に施錠を意味する施解錠信号が送信され、この施錠を意味する施解錠信号は前記制御部１３の施解錠電極Ｓ１に入力され、更に、リレー１４の施解錠電極Ｓ１、リレー１４に伝送されて、リレー１４がリレー動作してリレー接点部１４ａはオンとなる。
【００７０】
これにより前記アクチュエター１６が動作して電子錠５は施錠状態になるとともに、リレー接点オン時には前記制御部１３の確認信号電極Ｓ２から（施錠状態）を意味する確認信号が入出力インターフェース１８、Ｗｉ−Ｆｉ等の無線通信９、インターネット８を経て前記スマートフォン１１に伝送される。
【００７１】
また、前記位置測位信号処理部１５からの位置測位信号も、入出力インターフェース１８、Ｗｉ−Ｆｉ等の無線通信９、インターネット８を経て前記スマートフォン１１に伝送される。
【００７２】
この結果、前記スマートフォン１１における電子錠５の施解錠状態、位置測位情報の表示態様は図７に示す場合と同様になる。
【００７３】
更に、前記所持者が例えば宅配業者からの荷物到着の電話連絡を受けて宅配ボックス３１の解錠を実行する場合の処理は以下のようである。
【００７４】
図７に示す場合と同様な画面表示から、解錠ボタンを操作（タップ）する。
【００７５】
そして、前記スマートフォン１１からインターネット８、Ｗｉ−Ｆｉ等の無線通信９を経て前記宅配ボックス３１内の施解錠制御ユニット６の入出力インターフェース１８に解錠を意味する施解錠信号が送信され、この解錠を意味する施解錠信号は前記制御部１３の施解錠電極Ｓ１に入力され、更に、リレー１４の施解錠電極Ｓ１、リレー１４に伝送されるが、リレー１４がリレー動作してリレー接点部１４ａはオフとなる。
【００７６】
これにより前記アクチュエター１６は初期位置に戻り、電子錠５も解錠状態に戻る。
【００７７】
また、リレー接点オフ時には前記制御部１３の確認信号電極Ｓ２から（解錠状態）を意味する確認信号が入出力インターフェース１８、Ｗｉ−Ｆｉ等の無線通信９、インターネット８を経て前記スマートフォン１１に伝送される。
【００７８】
更に、前記位置測位信号処理部１５からの位置測位信号も、入出力インターフェース１８、Ｗｉ−Ｆｉ等の無線通信９、インターネット８を経て前記スマートフォン１１に伝送される。
【００７９】
この結果、前記スマートフォン１１の画面における電子錠５の施解錠状態は「解錠」となり、位置測位情報の表示態様は宅配ボックス３１の位置の変更が生じていない場合には図７に示す場合と同様になる。
【００８０】
この後、前記所持者は、既述したような宅配ボックス３１の施錠操作を実行する。
【００８１】
次に、盗難等により前記宅配ボックス３１の位置変更が生じた場合には、前記位置測位信号処理部１５からの位置測位信号も変更となる。
【００８２】
すなわち、変更後の位置測位信号も既述した場合と同様に、入出力インターフェース１８、Ｗｉ−Ｆｉ等の無線通信９、インターネット８を経て前記スマートフォン１１に伝送され。例えば画面表示される変更後の位置測位情報は、「神奈川県  市  町  丁目  番」のような表示に変更となる。
【００８３】
また、前記位置測位情報の変更が生じた場合、施解錠アプリによりブザー音など警報を発するようにすることも可能である。
【００８４】
これにより、前記所持者は、前記スマートフォン１１の画面のみで自己の宅配ボックス３１の盗難状態を直ちに把握し現在の所在地を視覚により直ちに確認することができ、次なる対策を講じることが可能となる。
【００８５】
以上説明した本実施例２に係るスマートフォン１１を利用した施解錠対象物である宅配ボックス３１の施解錠応答システム１Ａによれば、スマートフォン１１の所持者は、前記スマートフォン１１の画面操作のみで自己の宅配ボックス３１の施錠解錠を随時実行できるとともに、自己の宅配ボックス３１の現在の状態（施解錠状態、所在地）を視覚により簡略容易に確認することができる。
【産業上の利用可能性】
【００８６】
本考案のスマートフォンを利用した施解錠対象物の施解錠応答システムは、上述した場合の他、例えば、各種ケース等の容器類、バッグ、スーツケース、書庫、ロッカー、金庫、倉庫、物置等々から選定される各種施解錠対象物の施解錠管理用として広範に利用可能である。
【符号の説明】
【００８７】
１    スマートフォンを利用した施解錠対象物の施解錠応答システム
１Ａ  スマートフォンを利用した施解錠対象物の施解錠応答システム
２    施解錠対象物
３    宝石箱
４    認証手段
５    電子錠
５ａ  施錠片
６    施解錠制御ユニット
７    ＧＰＳ衛星
８    インターネット
９    無線通信
１０    通信網
１１    スマートフォン
１２    バッテリー
１３    制御部
１４    リレー
１４ａ  リレー接点部
１５    位置測位信号処理部
１６    アクチュエター
１７    マグネットスイッチ部
１８    入出力インターフェース
１９    マグネットスイッチ本体
２０    ロックピン
２１    陽電極
２２    陰電極
２３    確認信号伝送線
３１    宅配ボックス
Ｓ１    施解錠電極
Ｓ２    確認信号電極
【図１】
0003235404.tif 000003
【図２】
0003235404.tif 000004
【図３】
0003235404.tif 000005
【図４】
0003235404.tif 000006
【図５】
0003235404.tif 000007
【図６】
0003235404.tif 000008
【図７】
0003235404.tif 000009
【図８】
0003235404.tif 000010
【図９】
0003235404.tif 000011
【図１０】
0003235404.tif 000012